【手続補正書】
【提出日】平成25年12月6日(2013.12.6)
【手続補正１】
【補正対象書類名】特許請求の範囲
【補正対象項目名】全文
【補正方法】変更
【補正の内容】
【特許請求の範囲】
【請求項１】
セパレータを介して積層された複数の電極板を備えた電池要素と、
前記電池要素を気密に封止する外装フィルムと、
前記外装フィルムの表面に設定された所定の領域内に存在する凹みの上に、該凹みを覆うように前記表面の一部に貼られたカバーフィルムと、を有し、
前記所定の領域は、前記外装フィルムの前記表面に対する前記電極板の投影領域から、最外層の前記電極板と前記外装フィルムとの間に介在する結束部材、または前記電極板と前記セパレータとの間に介在する絶縁層と重なっている重複領域を除いた領域である、フィルム外装電池。
【請求項２】
前記結束部材の端部が、最外層の前記電極板の表面に固定されている、請求項１に記載のフィルム外装電池。
【請求項３】
前記所定の領域は、前記外装フィルムの一方の前記表面に設定された第１の領域と他方の前記表面に設定された第２の領域とを含み、
前記第１の領域は、前記外装フィルムの前記表面に対する前記電極板の投影領域から、最上層の前記電極板の表面に固定されている前記結束部材の一方の前記端部と重なっている第１の重複領域を除いた領域であり、
前記第２の領域は、前記外装フィルムの前記表面に対する前記電極板の投影領域から、最下層の前記電極板の表面に固定されている前記結束部材の他方の前記端部と重なっている第２の重複領域を除いた領域であり、
前記カバーフィルムは、前記第１の領域と前記第２の領域の少なくとも一方に設けられている、請求項２に記載のフィルム外装電池。
【請求項４】
前記結束部材を備えておらず、
前記重複領域は、前記外装フィルムの前記表面に対する前記電極板の投影領域のうち、前記電極板と前記セパレータとの間に介在する前記絶縁層と重なっている領域である、請求項１に記載のフィルム外装電池。
【請求項５】
前記結束部材と前記絶縁層とを備えており、
前記重複領域は、前記外装フィルムの前記表面に対する前記電極板の投影領域のうち、最外層の前記電極板の表面に前記端部が固定されている前記結束部材と重なっている部分と、前記電極板と前記セパレータとの間に介在する前記絶縁層と重なっている部分とからなる、請求項１に記載のフィルム外装電池。
【請求項６】
前記複数の電極板には、相対的に面積が大きい電極板と相対的に面積が小さい電極板とが含まれ、前記投影領域を構成する前記電極板は、相対的に面積が小さい方の電極板である、請求項１から５のいずれか１項に記載のフィルム外装電池。
【請求項７】
請求項１から６のいずれか１項に記載の複数のフィルム外装電池と、
前記複数のフィルム外装電池が積層状態で収納されたケースと、を有し、
前記複数のフィルム外装電池は、前記電池要素を構成している前記電極板の積層方向に沿って積層されている、電池モジュール。
【請求項８】
請求項７に記載の複数の電池モジュールが重ねて配置され、それら複数の電池モジュール同士が互いに連結されている、モジュール集合体。
【請求項９】
請求項８に記載のモジュール集合体がシートの下方に配置されている、電気自動車。
【請求項１０】
セパレータを介して積層された複数の電極板を備えた電池要素を、外装フィルムによって気密に封止してフィルム外装電池とする工程と、
前記フィルム外装電池を、前記外装フィルムの表面の所定の領域内に凹みが存在するフィルム外装電池と、前記所定の領域内に凹みが存在しないフィルム外装電池とに選別する工程と、
前記所定の領域内に凹みが存在するフィルム外装電池の前記凹みを覆うように、前記外装フィルムの前記表面の一部にカバーフィルムを貼着する工程と、を含むフィルム外装電池の製造方法であって、
前記選別する工程は、前記外装フィルムの前記表面における凹みの有無を判別する工程と、前記凹みの位置が前記所定の領域内であるか否かを判定する工程と、を含み、
前記所定の領域は、前記外装フィルムの前記表面に対する前記電極板の投影領域から、最外層の前記電極板と前記外装フィルムとの間に介在する結束部材、または前記電極板と前記セパレータの間に介在する絶縁層と重なっている重複領域を除いた領域である、フィルム外装電池の製造方法。
【請求項１１】
前記結束部材の端部が、最外層の前記電極板の表面に固定されている、請求項１０に記載のフィルム外装電池の製造方法。
【請求項１２】
前記結束部材を備えておらず、
前記重複領域は、前記表面に対する前記電極板の投影領域のうち、前記電極板と前記セパレータとの間に介在する前記絶縁層と重なっている領域である、請求項１０に記載のフィルム外装電池の製造方法。
【請求項１３】
前記凹みを覆うように貼着された前記カバーフィルムが、前記所定の領域からはみ出しているか否かを判定する工程をさらに含む、請求項１０に記載のフィルム外装電池の製造方法。
【手続補正２】
【補正対象書類名】明細書
【補正対象項目名】発明の名称
【補正方法】変更
【補正の内容】
【発明の名称】フィルム外装電池、電池モジュール、モジュール集合体、フィルム外装電池の製造方法、および電気自動車
【手続補正３】
【補正対象書類名】明細書
【補正対象項目名】０００８
【補正方法】変更
【補正の内容】
【０００８】
本発明のフィルム外装電池は、セパレータを介して積層された複数の電極板を備えた電池要素と、前記電池要素を気密に封止する外装フィルムと、前記外装フィルムの表面に設定された所定の領域内に存在する凹みの上に、該凹みを覆うように前記表面の一部に貼られたカバーフィルムと、を有し、前記所定の領域は、前記外装フィルムの前記表面に対する前記電極板の投影領域から、最外層の前記電極板と前記外装フィルムとの間に介在する結束部材、または前記電極板と前記セパレータとの間に介在する絶縁層と重なっている重複領域を除いた領域であることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１４
【補正方法】変更
【補正の内容】
【００１４】
本発明のフィルム外装電池の製造方法は、セパレータを介して積層された複数の電極板を備えた電池要素を、外装フィルムによって気密に封止してフィルム外装電池とする工程と、前記フィルム外装電池を、前記外装フィルムの表面の所定の領域内に凹みが存在するフィルム外装電池と、前記所定の領域内に凹みが存在しないフィルム外装電池とに選別する工程と、前記所定の領域内に凹みが存在するフィルム外装電池の前記凹みを覆うように、前記外装フィルムの前記表面の一部にカバーフィルムを貼着する工程と、を含む。前記選別する工程は、前記外装フィルムの前記表面における凹みの有無を判別する工程と、前記凹みの位置が前記所定の領域内であるか否かを判定する工程と、を含む。前記所定の領域は、前記外装フィルムの前記表面に対する前記電極板の投影領域から、最外層の前記電極板と前記外装フィルムとの間に介在する結束部材、または前記電極板と前記セパレータの間に介在する絶縁層と重なっている重複領域を除いた領域であることを特徴とする。
【手続補正７】
【補正対象書類名】明細書
【補正対象項目名】００２８
【補正方法】変更
【補正の内容】
【００２８】
図５に示すように、上記投影領域内には、テープ１３の端部１３ａが存在している。また、図３に示すように、上記投影領域内には、絶縁層１９（図３）の一部が存在している。したがって、図３と図５に示すように、上記投影領域内には、テープ１３や絶縁層１９の厚みに応じた段差が存在している。換言すれば、上記投影領域のうち、テープ１３の端部１３ａや絶縁層１９の一部と重なっている領域（重複領域６１）は、他の領域よりも高い。したがって、重複領域６１にカバーフィルム５０が貼られると、カバーフィルム５０の厚み分だけフィルム外装電池１の厚みが増してしまう。一方、重複領域６１以外の領域にカバーフィルム５０が貼られた場合、カバーフィルム５０の厚みは、重複領域６１と他の領域との間の段差によって吸収される。
【手続補正８】
【補正対象書類名】明細書
【補正対象項目名】００３０
【補正方法】変更
【補正の内容】
【００３０】
また、テープ１３とカバーフィルム５０の厚みは夫々５０μmであり、上記投影領域のうち、テープ１３ａと重なっている領域と他との領域の間にはカバーフィルム５０の厚みを吸収する段差が存在することになる。
【手続補正９】
【補正対象書類名】明細書
【補正対象項目名】００３７
【補正方法】変更
【補正の内容】
【００３７】
（実施形態３）
図７Ａに、図６に示す電池モジュール２を用いたモジュール集合体４の一例を示す。図示されているモジュール集合体４では、複数の電池モジュール２がハウジング５内に二段重ねで収納されている。具体的には、下段の各電池モジュール２の上に、上段の各電池モジュール２が載せられている。上段の電池モジュール２の蓋３ｂ（図６）の上には、隣接する電池モジュール間に跨る固定板６が載せられている。さらに、固定板６を貫通するボルト７が、上下の電池モジュール２を貫通している。換言すれば、上下の電池モジュール２は、これらを貫通するボルト７によって一体化され、隣接する電池モジュール同士は、固定板６を介して一体化されている。このように、複数の電池モジュール２は互いに連結されて一体化されている。換言すれば、ハウジング５は必須ではなく、省略することもできる。